(57)【要約】【課題】ユーザによる特別な操作を行うことなくプレゼンス情報を更新する。【解決手段】携帯端末１０は、予定情報記憶部１３が記憶する予定情報と、位置情報取得部１５が取得する位置情報とをプレゼンス情報としてサーバ装置３０に登録する。【選択図】図１
2010212790.tif 000002
【特許請求の範囲】
【請求項１】
プレゼンス登録装置とプレゼンス取得装置とサーバ装置とを備えるプレゼンス管理システムであって、
前記プレゼンス登録装置は、
前記ユーザから予定の開始時刻と終了時刻とを含む予定情報の入力を受け付ける予定情報入力手段と、
前記予定情報入力手段が入力を受け付けた予定情報を予定情報記憶手段に登録する予定情報登録手段と、
前記予定情報記憶手段が記憶する予定情報に含まれる開始時刻と同じ時刻に、前記プレゼンス登録装置の位置情報を取得する位置情報取得手段と、
前記予定情報記憶手段が記憶する予定情報を前記サーバ装置に送信する予定情報送信手段と、
前記位置情報取得手段が取得した位置情報を前記サーバ装置に送信する位置情報送信手段と、
を備え、
前記サーバ装置は、
前記プレゼンス登録装置から予定情報及び位置情報を受信するプレゼンス情報受信手段と、
前記予定情報及び前記位置情報の受信に基づいて、前記プレゼンス登録装置の識別情報を取得する識別情報取得手段と、
前記受信手段が受信した予定情報及び位置情報を前記識別情報取得手段が取得した識別情報に関連付けてプレゼンス情報記憶手段に登録するプレゼンス情報登録手段と、
前記プレゼンス取得装置から、前記プレゼンス登録装置の識別番号を含み、当該プレゼンス登録装置の予定情報及び位置情報の送信を要求する送信要求を受信する送信要求受信手段と、
前記プレゼンス情報記憶手段が、前記送信要求受信手段が受信した送信要求に含まれる識別番号に関連付けて記憶する予定情報及び位置情報を前記プレゼンス取得装置に送信する送信手段と、
を備え、
前記プレゼンス取得装置は、
前記サーバ装置に任意のプレゼンス登録装置の予定情報及び位置情報の送信要求を送信する送信手段と、
前記予定情報及び前記位置情報を前記サーバ装置から受信する受信手段と、
前記受信手段が受信した予定情報及び位置情報を表示する表示手段と、
を備えることを特徴とするプレゼンス管理システム。
【請求項２】
前記プレゼンス登録装置は、前記予定情報及び前記位置情報の取得を拒否する前記プレゼンス取得装置の識別情報の入力を受け付ける識別情報入力手段を備え、
前記プレゼンス登録装置の予定情報送信手段は、前記識別情報入力手段が入力を受け付けた識別情報を前記予定情報に付加してサーバ装置に送信し、
前記サーバ装置の識別情報取得手段は、前記送信要求の受信に基づいて、前記受信手段が受信した送信要求の送信元であるプレゼンス取得装置の識別番号を取得し、
前記サーバ装置の送信手段は、前記識別情報取得手段が取得した前記プレゼンス取得装置の識別番号と前記プレゼンス情報受信手段が受信した予定情報に付加された識別情報とが一致しない場合に、前記予定情報及び前記位置情報を送信する、
ことを特徴とする請求項１に記載のプレゼンス管理システム。
【請求項３】
前記プレゼンス登録装置は、前記予定情報及び前記位置情報の取得を許可する前記プレゼンス取得装置の識別情報の入力を受け付ける識別情報入力手段を備え、
前記プレゼンス登録装置の予定情報送信手段は、前記識別情報入力手段が入力を受け付けた識別情報を前記予定情報に付加してサーバ装置に送信し、
前記サーバ装置の識別情報取得手段は、前記送信要求の受信に基づいて、前記受信手段が受信した送信要求の送信元であるプレゼンス取得装置の識別番号を取得し、
前記サーバ装置の送信手段は、前記識別情報取得手段が取得した前記プレゼンス取得装置の識別番号と前記プレゼンス情報受信手段が受信した予定情報に付加された識別情報とが一致する場合に、前記予定情報及び前記位置情報を送信する、
ことを特徴とする請求項１に記載のプレゼンス管理システム。
【請求項４】
前記プレゼンス登録装置は、前記予定情報及び前記位置情報を前記サーバ装置に送信するか否かを示す送信可否情報入力手段を備え、
前記プレゼンス登録装置の送信手段は、前記送信可否情報に基づいて送信可否を判定する、
ことを特徴とする請求項１から請求項３の何れか１項に記載のプレゼンス管理システム。
【請求項５】
前記プレゼンス登録装置は、前記位置情報の抽象度を設定する抽象度指定情報の入力を受け付ける抽象度指定情報入力手段を備え、
前記プレゼンス登録装置の予定情報送信手段は、前記抽象度指定情報入力手段が入力を受け付けた抽象度指定情報を前記予定情報に付加してサーバ装置に送信し、
前記サーバ装置は、前記プレゼンス情報受信手段が受信した予定情報に付加された抽象度指定情報に基づいて前記位置情報を抽象化する位置情報抽象化手段を備え、
前記サーバ装置の送信手段は、位置情報として前記位置情報抽象化手段が抽象化した位置情報を送信する、
ことを特徴とする請求項１から請求項４のいずれか１項に記載のプレゼンス管理システム。
【請求項６】
前記プレゼンス登録装置の抽象度指定情報入力手段は、前記プレゼンス取得装置毎に前記位置情報の抽象度指定情報の入力を受け付け、
前記サーバ装置の識別情報取得手段は、前記受信手段が受信した送信要求の送信元であるプレゼンス取得装置の識別番号を取得し、
前記サーバ装置の位置情報抽象化手段は、前記識別情報取得手段が取得した識別番号と前記抽象度指定情報とに基づいて、前記位置情報を抽象化する、
ことを特徴とする請求項５に記載のプレゼンス管理システム。
【請求項７】
プレゼンス登録装置とプレゼンス取得装置とサーバ装置とを備えるプレゼンス管理システムを用いたプレゼンス管理方法であって、
前記プレゼンス登録装置の予定情報入力手段は、前記ユーザから予定の開始時刻と終了時刻とを含む予定情報の入力を受け付け、
前記プレゼンス登録装置の予定情報登録手段は、前記予定情報入力手段が入力を受け付けた予定情報を予定情報記憶手段に登録し、
前記プレゼンス登録装置の位置情報取得手段は、前記予定情報記憶手段が記憶する予定情報に含まれる開始時刻と同じ時刻に、前記プレゼンス登録装置の位置情報を取得し、
前記プレゼンス登録装置の予定情報送信手段は、前記予定情報記憶手段が記憶する予定情報を前記サーバ装置に送信し、
前記プレゼンス登録装置の位置情報送信手段は、前記位置情報取得手段が取得した位置情報を前記サーバ装置に送信し、
前記サーバ装置のプレゼンス情報受信手段は、前記プレゼンス登録装置から予定情報及び位置情報を受信し、
前記サーバ装置の識別情報取得手段は、前記予定情報及び前記位置情報の受信に基づいて、前記プレゼンス登録装置の識別情報を取得し、
前記サーバ装置のプレゼンス情報登録手段は、前記受信手段が受信した予定情報及び位置情報を前記識別情報取得手段が取得した識別情報に関連付けてプレゼンス情報記憶手段に登録し、
前記サーバ装置の送信要求受信手段は、前記プレゼンス取得装置から、前記プレゼンス登録装置の識別番号を含み、当該プレゼンス登録装置の予定情報及び位置情報の送信を要求する送信要求を受信し、
前記サーバ装置の送信手段は、前記プレゼンス情報記憶手段が、前記送信要求受信手段が受信した送信要求に含まれる識別番号に関連付けて記憶する予定情報及び位置情報を前記プレゼンス取得装置に送信し、
前記プレゼンス取得装置の送信手段は、前記サーバ装置に任意のプレゼンス登録装置の予定情報及び位置情報の送信要求を送信し、
前記プレゼンス取得装置の受信手段は、前記予定情報及び前記位置情報を前記サーバ装置から受信し、
前記プレゼンス取得装置の表示手段は、前記受信手段が受信した予定情報及び位置情報を表示する、
ことを特徴とするプレゼンス管理方法。
【請求項８】
プレゼンス登録装置のユーザの活動状況を示すプレゼンス情報を保持し、プレゼンス取得装置に前記プレゼンス情報を送信するサーバ装置であって、
前記プレゼンス登録装置から予定情報及び位置情報を受信するプレゼンス情報受信手段と、
前記予定情報及び前記位置情報の受信に基づいて、前記プレゼンス登録装置の識別情報を取得する識別情報取得手段と、
前記受信手段が受信した予定情報及び位置情報を前記識別情報取得手段が取得した識別情報に関連付けてプレゼンス情報記憶手段に登録するプレゼンス情報登録手段と、
前記プレゼンス取得装置から、前記プレゼンス登録装置の識別番号を含み、当該プレゼンス登録装置の予定情報及び位置情報の送信を要求する送信要求を受信する送信要求受信手段と、
前記プレゼンス情報記憶手段が、前記送信要求受信手段が受信した送信要求に含まれる識別番号に関連付けて記憶する予定情報及び位置情報を前記プレゼンス取得装置に送信する送信手段と、
を備えることを特徴とするサーバ装置。
【請求項９】
プレゼンス登録装置のユーザの活動状況を示すプレゼンス情報を保持し、プレゼンス取得装置に前記プレゼンス情報を送信するサーバ装置を、
前記プレゼンス登録装置から予定情報及び位置情報を受信するプレゼンス情報受信手段、
前記予定情報及び前記位置情報の受信に基づいて、前記プレゼンス登録装置の識別情報を取得する識別情報取得手段、
前記受信手段が受信した予定情報及び位置情報を前記識別情報取得手段が取得した識別情報に関連付けてプレゼンス情報記憶手段に登録するプレゼンス情報登録手段、
前記プレゼンス取得装置から、前記プレゼンス登録装置の識別番号を含み、当該プレゼンス登録装置の予定情報及び位置情報の送信を要求する送信要求を受信する送信要求受信手段、
前記プレゼンス情報記憶手段が、前記送信要求受信手段が受信した送信要求に含まれる識別番号に関連付けて記憶する予定情報及び位置情報を前記プレゼンス取得装置に送信する送信手段、
として動作させるためのプログラム。
【発明の詳細な説明】
【技術分野】
【０００１】
本発明は、携帯端末のユーザの活動状況を示すプレゼンス情報を管理するプレゼンス管理システム、プレゼンス管理方法、サーバ装置及びプログラムに関する。
【背景技術】
【０００２】
従来、携帯端末を用いて相手と連絡を取る際、その時刻において相手が何処で何をしてかという情報（プレゼンス情報）が無いため、相手の状況を無視して電話をかけていた。そのため、着信側の携帯端末のユーザは、会議中など着信音を出せない状況では、携帯端末の電源を切っておくか、携帯端末をマナーモード等の着信音が出ない設定に変更しておく必要があり、またそれらの処置を忘れた場合、電話の着信時に着信音が鳴り、周囲に迷惑をかけてしまう可能性があった。
【０００３】
ところで、パーソナルコンピュータでは、インターネットを介してメッセージをリアルタイムに送受信するメッセンジャーアプリケーションが利用されている。メッセンジャーアプリケーションでは、予め登録したメンバーがネットワークに接続しているか否か、また接続中のメンバーが取り込み中であるか否かなどといった状況を知ることができる。
【０００４】
携帯端末でもこの手法を利用して相手のプレゼンス情報を取得する試みがなされている。これにより、携帯電話のユーザは、事前に登録したメンバーのメッセージ等を確認し、電話をかける前に相手の状況を知ることができる。
【０００５】
また、プレゼンス情報を利用する他の電話サービスの例としては、例えば特許文献１に記載の技術がある。
【先行技術文献】
【特許文献】
【０００６】
【特許文献１】特開２００２−１６６９６号公報
【発明の概要】
【発明が解決しようとする課題】
【０００７】
しかしながら、メッセンジャーアプリケーションと同様の手法によるプレゼンス情報の取得は、状況が変わるたびにユーザがその状況を示すメッセージを入力し、または設定を変更する必要があり、手間がかかってしまうという問題があった。さらに、この操作を行わないと他のユーザが閲覧可能なプレゼンス情報は古い情報のままとなってしまう問題があった。
本発明は上記の点に鑑みてなされたものであり、その目的は、ユーザによる特別な操作を行うことなくプレゼンス情報を更新するプレゼンス管理システム、プレゼンス管理方法、サーバ装置及びプログラムを提供することにある。
【課題を解決するための手段】
【０００８】
本発明は上記の課題を解決するためになされたものであり、プレゼンス登録装置とプレゼンス取得装置とサーバ装置とを備えるプレゼンス管理システムであって、前記プレゼンス登録装置は、前記ユーザから予定の開始時刻と終了時刻とを含む予定情報の入力を受け付ける予定情報入力手段と、前記予定情報入力手段が入力を受け付けた予定情報を予定情報記憶手段に登録する予定情報登録手段と、前記予定情報記憶手段が記憶する予定情報に含まれる開始時刻と同じ時刻に、前記プレゼンス登録装置の位置情報を取得する位置情報取得手段と、前記予定情報記憶手段が記憶する予定情報を前記サーバ装置に送信する予定情報送信手段と、前記位置情報取得手段が取得した位置情報を前記サーバ装置に送信する位置情報送信手段と、を備え、前記サーバ装置は、前記プレゼンス登録装置から予定情報及び位置情報を受信するプレゼンス情報受信手段と、前記予定情報及び前記位置情報の受信に基づいて、前記プレゼンス登録装置の識別情報を取得する識別情報取得手段と、前記受信手段が受信した予定情報及び位置情報を前記識別情報取得手段が取得した識別情報に関連付けてプレゼンス情報記憶手段に登録するプレゼンス情報登録手段と、前記プレゼンス取得装置から、前記プレゼンス登録装置の識別番号を含み、当該プレゼンス登録装置の予定情報及び位置情報の送信を要求する送信要求を受信する送信要求受信手段と、前記プレゼンス情報記憶手段が、前記送信要求受信手段が受信した送信要求に含まれる識別番号に関連付けて記憶する予定情報及び位置情報を前記プレゼンス取得装置に送信する送信手段と、を備え、前記プレゼンス取得装置は、前記サーバ装置に任意のプレゼンス登録装置の予定情報及び位置情報の送信要求を送信する送信手段と、前記予定情報及び前記位置情報を前記サーバ装置から受信する受信手段と、前記受信手段が受信した予定情報及び位置情報を表示する表示手段と、を備えることを特徴とする。
【０００９】
また、本発明は、プレゼンス登録装置とプレゼンス取得装置とサーバ装置とを備えるプレゼンス管理システムを用いたプレゼンス管理方法であって、前記プレゼンス登録装置の予定情報入力手段は、前記ユーザから予定の開始時刻と終了時刻とを含む予定情報の入力を受け付け、前記プレゼンス登録装置の予定情報登録手段は、前記予定情報入力手段が入力を受け付けた予定情報を予定情報記憶手段に登録し、前記プレゼンス登録装置の位置情報取得手段は、前記予定情報記憶手段が記憶する予定情報に含まれる開始時刻と同じ時刻に、前記プレゼンス登録装置の位置情報を取得し、前記プレゼンス登録装置の予定情報送信手段は、前記予定情報記憶手段が記憶する予定情報を前記サーバ装置に送信し、前記プレゼンス登録装置の位置情報送信手段は、前記位置情報取得手段が取得した位置情報を前記サーバ装置に送信し、前記サーバ装置のプレゼンス情報受信手段は、前記プレゼンス登録装置から予定情報及び位置情報を受信し、前記サーバ装置の識別情報取得手段は、前記予定情報及び前記位置情報の受信に基づいて、前記プレゼンス登録装置の識別情報を取得し、前記サーバ装置のプレゼンス情報登録手段は、前記受信手段が受信した予定情報及び位置情報を前記識別情報取得手段が取得した識別情報に関連付けてプレゼンス情報記憶手段に登録し、前記サーバ装置の送信要求受信手段は、前記プレゼンス取得装置から、前記プレゼンス登録装置の識別番号を含み、当該プレゼンス登録装置の予定情報及び位置情報の送信を要求する送信要求を受信し、前記サーバ装置の送信手段は、前記プレゼンス情報記憶手段が、前記送信要求受信手段が受信した送信要求に含まれる識別番号に関連付けて記憶する予定情報及び位置情報を前記プレゼンス取得装置に送信し、前記プレゼンス取得装置の送信手段は、前記サーバ装置に任意のプレゼンス登録装置の予定情報及び位置情報の送信要求を送信し、前記プレゼンス取得装置の受信手段は、前記予定情報及び前記位置情報を前記サーバ装置から受信し、前記プレゼンス取得装置の表示手段は、前記受信手段が受信した予定情報及び位置情報を表示する、ことを特徴とする。
【００１０】
また、本発明は、プレゼンス登録装置のユーザの活動状況を示すプレゼンス情報を保持し、プレゼンス取得装置に前記プレゼンス情報を送信するサーバ装置であって、前記プレゼンス登録装置から予定情報及び位置情報を受信するプレゼンス情報受信手段と、前記予定情報及び前記位置情報の受信に基づいて、前記プレゼンス登録装置の識別情報を取得する識別情報取得手段と、前記受信手段が受信した予定情報及び位置情報を前記識別情報取得手段が取得した識別情報に関連付けてプレゼンス情報記憶手段に登録するプレゼンス情報登録手段と、前記プレゼンス取得装置から、前記プレゼンス登録装置の識別番号を含み、当該プレゼンス登録装置の予定情報及び位置情報の送信を要求する送信要求を受信する送信要求受信手段と、前記プレゼンス情報記憶手段が、前記送信要求受信手段が受信した送信要求に含まれる識別番号に関連付けて記憶する予定情報及び位置情報を前記プレゼンス取得装置に送信する送信手段と、を備えることを特徴とする。
【００１１】
また、本発明は、プレゼンス登録装置のユーザの活動状況を示すプレゼンス情報を保持し、プレゼンス取得装置に前記プレゼンス情報を送信するサーバ装置を、前記プレゼンス登録装置から予定情報及び位置情報を受信するプレゼンス情報受信手段、前記予定情報及び前記位置情報の受信に基づいて、前記プレゼンス登録装置の識別情報を取得する識別情報取得手段、前記受信手段が受信した予定情報及び位置情報を前記識別情報取得手段が取得した識別情報に関連付けてプレゼンス情報記憶手段に登録するプレゼンス情報登録手段、前記プレゼンス取得装置から、前記プレゼンス登録装置の識別番号を含み、当該プレゼンス登録装置の予定情報及び位置情報の送信を要求する送信要求を受信する送信要求受信手段、前記プレゼンス情報記憶手段が、前記送信要求受信手段が受信した送信要求に含まれる識別番号に関連付けて記憶する予定情報及び位置情報を前記プレゼンス取得装置に送信する送信手段、として動作させるためのプログラムである。
【発明の効果】
【００１２】
本発明によれば、プレゼンス登録装置は、予定情報記憶手段が記憶する予定情報と、位置情報取得手段が取得する位置情報をプレゼンス情報としてサーバ装置に登録する。そのため、ユーザはプレゼンス情報を別個に入力することなくサーバ装置にプレゼンス情報を登録することができる。
【図面の簡単な説明】
【００１３】
【図１】本発明の一実施形態によるプレゼンス管理システムの構成を示す概略ブロック図である。
【図２】携帯端末１０の予定情報記憶部１３が記憶する情報のデータ構造を示す図である。
【図３】サーバ装置３０のプレゼンス記憶部３４が記憶する情報のデータ構造を示す図である。
【図４】プレゼンス管理システムがプレゼンス情報を登録する際の動作を示すシーケンス図である。
【図５】プレゼンス管理システムがプレゼンス情報を参照する際の動作を示すシーケンス図である。
【発明を実施するための形態】
【００１４】
以下、図面を参照しながら本発明の実施形態について詳しく説明する。
図１は、本発明の一実施形態によるプレゼンス管理システムの構成を示す概略ブロック図である。
プレゼンス管理システム１は、携帯端末１０（プレゼンス登録装置）、携帯端末２０（プレゼンス取得装置）、サーバ装置３０を備える。携帯端末１０、携帯端末２０、サーバ装置３０は、それぞれアンテナを介して無線通信によって接続されている。
【００１５】
携帯端末１０は、入力部１１（予定情報入力手段、識別情報入力手段、送信可否情報入力手段、抽象度指定情報入力手段）、予定情報登録部１２（予定情報登録手段）、予定情報記憶部１３（予定情報記憶手段）、時刻取得部１４、位置情報取得部１５（位置情報取得手段）、送信部１６（送信手段）を備える。
入力部１１は、ユーザからの情報の入力を受け付ける。
予定情報登録部１２は、入力部１１が入力を受け付けた予定情報を予定情報記憶部１３に登録する。すなわち予定情報登録部１２及び予定情報記憶部１３は、携帯端末１０のスケジューラ機能を実現する。
時刻取得部１４は、携帯端末１０に内蔵される時刻計測タイマー（図示せず）等から常時または断続的に時刻を取得する。
位置情報取得部１５は、携帯端末１０の存在する位置を示す位置情報を取得する。
送信部１６は、他の装置に情報を送信する。
【００１６】
携帯端末２０は、他端末情報記憶部２１、表示部２２（表示手段）、選択部２３、送信部２４（送信手段）、受信部２５（受信手段）を備える。
他端末情報記憶部２１は、他の携帯端末の電話番号等の識別情報を記憶する。すなわち他端末情報記憶部２１は、携帯端末２０の電話帳機能を実現する。
表示部２２は、画面に情報を表示させる。
選択部２３は、ユーザから他端末情報記憶部２１が記憶する他の携帯端末を選択する情報の入力を受け付ける。
送信部２４は、ユーザが選択した他の携帯端末の情報をサーバ装置３０に送信する。
受信部２５は、サーバ装置３０からプレゼンス情報を受信する。
【００１７】
サーバ装置３０は、受信部３１（プレゼンス情報受信手段、送信要求受信手段）、端末識別部３２（識別情報取得手段）、プレゼンス登録部３３（プレゼンス情報登録手段）、プレゼンス記憶部３４（プレゼンス情報記憶手段）、送信判定部３５、抽象度変更部３６（位置情報抽象化手段）、送信部３７（プレゼンス情報送信手段）を備える。
受信部３１は、携帯端末１０、２０から情報を受信する。
端末識別部３２は、携帯端末１０、２０の識別情報を取得し、携帯端末の識別を行う。
プレゼンス登録部３３は、携帯端末１０から受信した予定情報及び位置情報をプレゼンス情報としてプレゼンス記憶部３４に登録する。
送信判定部３５は、プレゼンス記憶部３４が記憶するプレゼンス情報に基づいて携帯端末２０にプレゼンス情報を送信するか否かを判定する。
抽象度変更部３６は、プレゼンス記憶部３４が記憶する位置情報の抽象度を変更する。位置情報の抽象度とは、例えば、携帯端末１０が「ピンポイントで場所の特定が可能な程度」、「どの市区町村に存在するかがわかる程度」、「ある地域に存在するか否かを示す程度」等の位置情報の具体性の度合いのことを示す。
送信部３７は、プレゼンス情報を携帯端末２０に送信する。
【００１８】
図２は、携帯端末１０の予定情報記憶部１３が記憶する情報のデータ構造を示す図である。
予定情報記憶部１３は、予定の開始時刻、終了時刻、予定の内容、当該予定をプレゼンス情報として登録するか否かを示す登録可否情報、プレゼンス情報の参照を拒否する携帯端末の識別情報、及び携帯端末２０毎のプレゼンス情報の位置情報の抽象度の設定情報を関連付けて記憶する。なお、プレゼンス情報の参照を拒否する携帯端末の識別情報、及び抽象度の設定情報は、複数の携帯端末２０を指定しても良い。
【００１９】
図３は、サーバ装置３０のプレゼンス記憶部３４が記憶する情報のデータ構造を示す図である。
プレゼンス記憶部３４は、携帯端末１０の識別番号、予定の開始時刻、終了時刻、予定の内容、携帯端末１０の位置情報、プレゼンス情報の参照を拒否する携帯端末の識別情報、及び携帯端末２０毎のプレゼンス情報の位置情報の抽象度の設定情報を関連付けて記憶する。
【００２０】
そして、プレゼンス管理システム１において、携帯端末１０の入力部１１は、ユーザから予定の開始時刻と終了時刻とを含む予定情報の入力を受け付け、予定情報登録部１２は、入力部１１が入力を受け付けた予定情報を予定情報記憶部１３に登録する。位置情報取得部１５は、予定情報記憶部１３が記憶する予定情報に含まれる開始時刻と同じ時刻に、携帯端末１０の位置情報を取得し、送信部１６は、予定情報記憶部１３が記憶する予定情報と位置情報取得部１５が取得した位置情報とをプレゼンス情報としてサーバ装置３０に送信する。
サーバ装置３０の受信部３１は、携帯端末１０からプレゼンス情報を受信し、端末識別部３２は、携帯端末１０の識別情報を取得し、プレゼンス登録部３３は、受信部３１が受信したプレゼンス情報を端末識別部３２が取得した識別情報に関連付けてプレゼンス記憶部３４に登録する。
【００２１】
携帯端末２０の送信部２４は、携帯端末１０の識別番号を含み、携帯端末１０のプレゼンス情報の送信を要求する送信要求をサーバ装置３０に送信する。サーバ装置３０の受信部３１は、携帯端末２０から送信要求を受信し、送信部３７は、プレゼンス記憶部３４が、受信部３１が受信した送信要求に含まれる識別番号に関連付けて記憶するプレゼンス情報を携帯端末２０に送信する。携帯端末２０の受信部２５は、プレゼンス情報をサーバ装置３０から受信し、表示部２２は、受信部２５が受信したプレゼンス情報を表示する。
これにより、ユーザによる特別な操作を行うことなくプレゼンス情報を更新することができる。
【００２２】
次に、プレゼンス管理システムの動作を説明する。
まず、携帯端末１０によるプレゼンス情報の登録時の動作を説明する。
図４は、プレゼンス管理システムがプレゼンス情報を登録する際の動作を示すシーケンス図である。
まず、携帯端末１０のユーザが携帯端末１０のスケジュール機能を動作させると、携帯端末１０の表示部２２は、画面に予定情報入力画面を表示させ、入力部１１は、予定情報の入力を受け付ける。ここで、入力を受け付ける内容は、予定の開始時刻、終了時刻、予定の内容、当該予定をプレゼンス情報として登録するか否かを示す登録可否情報、プレゼンス情報の参照を拒否する携帯端末の識別情報、及び携帯端末２０毎のプレゼンス情報の位置情報の抽象度の設定情報である。位置情報の抽象度は上述したように、例えば、携帯端末１０が「ピンポイントで場所の特定が可能な程度」、「どの市区町村に存在するかがわかる程度」、「ある地域に存在するか否かを示す程度」等の位置情報の具体性の度合いのことを示す。「ある地域に存在するか否かを示す程度」の抽象度を設定した場合、入力部１１は、対象となる地域を指定する情報の入力も受け付ける。
携帯端末１０の入力部１１が予定情報の入力を受け付けると、予定情報登録部１２は、当該予定情報を予定情報記憶部１３に登録する（ステップＳ１）。
【００２３】
予定情報登録部１２が予定情報を登録すると、送信部１６は、予定情報記憶部１３に登録された予定情報の登録可否情報が、当該予定情報をプレゼンス情報としてサーバ装置３０に登録することを示しているか否かを判定する（ステップＳ２）。登録可否情報が予定情報をプレゼンス情報として登録しないことを示している場合（ステップＳ２：ＮＯ）、処理を終了する。
【００２４】
登録可否情報が予定情報をプレゼンス情報として登録することを示している場合（ステップＳ２：ＹＥＳ）、時刻取得部１４は、現在の時刻を取得し、取得した時刻と予定情報記憶部１３が記憶している予定情報の開始時刻とが一致しているか否かを判定する（ステップＳ３）。時刻取得部１４が、現在の時刻と開始時刻とが一致していないと判定した場合（ステップＳ３：ＮＯ）、ステップＳ３に戻り、現在の時刻と開始時刻とが一致するまで待機する。
【００２５】
時刻取得部１４が、現在の時刻と開始時刻とが一致したと判定した場合（ステップＳ３：ＹＥＳ）、位置情報取得部１５は、携帯端末１０の現在の位置情報を取得する（ステップＳ４）。位置情報は、例えば携帯端末１０に内蔵するＧＰＳ（Global Positioning System：全地球測位システム）機能または携帯端末１０が交信する基地局装置からの情報を用いることで取得できる。
位置情報取得部１５が位置情報を取得すると、送信部１６は、前記時刻取得部１４が、開始時刻が一致すると判定した予定情報と前記位置情報取得部１５が取得した位置情報とをプレゼンス情報としてサーバ装置３０に送信する（ステップＳ５）。
【００２６】
携帯端末１０がプレゼンス情報を送信すると、サーバ装置３０の受信部３１は、携帯端末１０からプレゼンス情報を受信する（ステップＳ６）。受信部３１がプレゼンス情報を受信すると、端末識別部３２は、プレゼンス情報の受信に基づいて、プレゼンス情報の送信元である携帯端末１０の識別情報を取得し、携帯端末１０の識別を行う（ステップＳ７）。このとき、識別情報としては、携帯端末の電話番号や、携帯端末１０の固体識別番号や、携帯端末１０に搭載されているＳＩＭ（Subscriber Identity Module）カードのＩＭＳＩ（International Mobile Subscriber Identity）番号等を用いると良い。
端末識別部３２が識別番号を取得すると、プレゼンス登録部３３は、取得した識別番号に関連付けて受信したプレゼンス情報を登録する（ステップＳ８）。
【００２７】
また、ステップＳ５で携帯端末１０の送信部１６がプレゼンス情報を送信すると、時刻取得部１４は、現在の時刻を取得し、取得した時刻と予定情報記憶部１３が記憶している予定情報の終了時刻とが一致しているか否かを判定する（ステップＳ９）。時刻取得部１４が、現在の時刻と終了時刻とが一致していないと判定した場合（ステップＳ９：ＮＯ）、ステップＳ９に戻り、現在の時刻と終了時刻とが一致するまで待機する。
【００２８】
時刻取得部１４が、現在の時刻と終了時刻とが一致したと判定した場合（ステップＳ９：ＹＥＳ）、送信部１６は、サーバ装置３０にプレゼンス情報の削除要求を送信する（ステップＳ１０）。
【００２９】
携帯端末１０がプレゼンス情報の削除要求を送信すると、サーバ装置３０の受信部３１は、携帯端末１０から削除要求を受信する（ステップＳ１１）。受信部３１が削除要求を受信すると、端末識別部３２は、削除要求の送信元である携帯端末１０の識別情報を取得し、携帯端末１０の識別を行う（ステップＳ１２）。端末識別部３２が識別番号を取得すると、プレゼンス登録部３３は、取得した識別番号に関連付け登録されたプレゼンス情報を削除する（ステップＳ１３）。
【００３０】
次に、携帯端末２０によるプレゼンス情報の参照時の動作を説明する。
図５は、プレゼンス管理システムがプレゼンス情報を参照する際の動作を示すシーケンス図である。
まず、携帯端末２０のユーザが携帯端末２０の電話帳機能を動作させると、表示部２２は、他端末情報記憶部２１が記憶する他の携帯端末のユーザの情報や電話番号などを画面に表示させる。表示部２２が表示する携帯端末の情報の中からユーザが携帯端末１０を選択すると、選択部２３は、他端末情報記憶部２１から携帯端末１０の識別情報を取得する（ステップＳ２１）。選択部２３が携帯端末１０の識別情報を取得すると、送信部２４は、携帯端末１０のプレゼンス情報の送信要求をサーバ装置３０に送信する（ステップＳ２２）。このとき、送信要求は、選択部２３が取得した携帯端末１０の識別情報を含む。
【００３１】
携帯端末２０が送信要求を送信すると、サーバ装置３０の受信部３１は、携帯端末２０から送信要求を受信する（ステップＳ２３）。受信部３１が送信要求を受信すると、端末識別部３２は、送信要求の送信元である携帯端末２０の識別情報を取得し、携帯端末２０の識別を行う（ステップＳ２４）。端末識別部３２が携帯端末２０の識別情報を取得すると、送信判定部３５は、送信要求に含まれる携帯端末１０の識別情報を取得する（ステップＳ２５）。
【００３２】
送信判定部３５は、携帯端末１０の識別情報を取得すると、当該識別番号に関連付けて
プレゼンス記憶部３４が記憶する、携帯端末１０のプレゼンス情報が存在するか否かを判定する（ステップＳ２６）。送信判定部３５は、プレゼンス情報が存在すると判定した場合（ステップＳ２６：ＹＥＳ）、プレゼンス情報に含まれる「プレゼンス情報の参照を拒否する携帯端末の識別情報」の中に携帯端末２０の識別番号が含まれているか否かを判定する。すなわち、携帯端末２０が当該プレゼンス情報を参照可能であるか否かを判定する（ステップＳ２７）。
【００３３】
ステップＳ２６で送信判定部３５が、プレゼンス情報が存在しないと判定した場合（ステップＳ２６：ＮＯ）、または、ステップＳ２７で送信判定部が、「プレゼンス情報の参照を拒否する携帯端末の識別情報」の中に携帯端末２０の識別番号が含まれていると判定した場合（ステップＳ２７：ＮＯ）、サーバ装置３０は、携帯端末２０にプレゼンス情報を送信しない。
【００３４】
他方、ステップＳ２６でプレゼンス情報が存在し、かつステップＳ２７で送信判定部が、「プレゼンス情報の参照を拒否する携帯端末の識別情報」の中に携帯端末２０の識別番号が含まないと判定した場合（ステップＳ２７：ＹＥＳ）、抽象度変更部３６は、プレゼンス情報に含まれる抽象度設定情報を取得する（ステップＳ２８）。抽象度変更部３６は、取得した抽象度設定情報の中から、携帯端末２０が参照する際の抽象度を取得し、当該抽象度に基づいてプレゼンス情報に含まれる位置情報を抽象化する（ステップＳ２９）。
【００３５】
位置情報の抽象化は、例えば以下のように行う。
位置情報の抽象度が「ピンポイントで場所の特定が可能な程度」として設定されている場合、位置情報に含まれる緯度及び経度の情報に基づいて、サーバ装置３０の住所情報データベース（図示せず）から緯度及び経度に対応する住所情報を取得する。
また、位置情報の抽象度が「どの市区町村に存在するかがわかる程度」、として設定されている場合、サーバ装置３０の住所情報データベース（図示せず）から住所情報を取得し、取得した住所情報から市区町村以下の番地情報を削除する。
また、位置情報の抽象度が、「ある地域に存在するか否かを示す程度」、として設定されている場合、予め携帯端末１０は、対象となる地域を指定する情報の入力も受け付け、サーバ装置３０に送信しておき、サーバ装置３０は、携帯端末１０から受信した範囲内に位置情報が示す位置が存在するか否かを示す情報のみを抽出する。
【００３６】
抽象度変更部３６が位置情報を抽象化すると、送信部３７は、位置情報を抽象化したプレゼンス情報を携帯端末２０に送信する（ステップＳ３０）。
【００３７】
サーバ装置３０がプレゼンス情報を送信すると、携帯端末２０の受信部２５は、サーバ装置３０からプレゼンス情報を受信する（ステップＳ３１）。受信部２５がプレゼンス情報を受信すると、表示部２２は、受信したプレゼンス情報を表示させる（ステップＳ３２）。これにより、携帯端末２０のユーザは、携帯端末１０のユーザの現在状況や居場所を確認して電話をかけるか否かの判断を行うことができる。
【００３８】
このように、本実施形態によれば、携帯端末１０は、予定情報記憶部１３が記憶する予定情報と、位置情報取得部１５が取得する位置情報をプレゼンス情報としてサーバ装置３０に登録する。そのため、ユーザはプレゼンス情報を別個に入力することなくサーバ装置３０にプレゼンス情報を登録することができる。
また、本実施形態によれば、携帯端末１０は、予定情報のサーバ装置３０への登録の可否を設定し、また参照を拒否する携帯端末の情報を設定しておくことで、許可された相手にのみプレゼンス情報の参照させることができる。
また、本実施形態によれば、携帯端末１０は、位置情報の抽象度を設定しておくことで、ユーザの現在地というプライバシー性が高い情報に対し、参照させるユーザ毎に必要に応じて抽象度を高くした位置情報を提供することができる。これにより、プレゼンス情報を提供するユーザの心理的抵抗を緩和させることができる。
【００３９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、携帯端末１０が予定の開始時刻に位置情報を送信する場合を説明したが、これに限られず、例えば予定の開始時刻から終了時刻までの間、定期的に位置情報を送信しても良い。これにより、プレゼンスの参照を行う携帯端末２０のユーザは常時最新の位置情報を確認することができるようになる。
【００４０】
なお、本実施形態では、携帯端末１０のプレゼンス情報として、予定の開始時刻、終了時刻、予定の内容、及び位置情報を参照可能とする場合を説明したが、これに限られず、例えば、電話の受信や電子メールへの返信の可否を示す情報を追加して登録しても良い。
【００４１】
また、本実施形態では、予定の開始時刻に、携帯端末１０がプレゼンス情報を送信してプレゼンス情報を登録する場合を説明したが、これに限られず、例えば予定情報の登録時に、携帯端末１０が予定情報を予め送信しておき、サーバ装置３０が予定の開始時刻を検知して予め携帯端末１０から受信していた予定情報をプレゼンス情報として登録しても良い。
また、本実施形態では、予定の終了時刻に、携帯端末１０がプレゼンス情報の削除要求を送信してプレゼンス情報を削除する場合を説明したが、これに限られず、例えばサーバ装置３０が予定の終了時刻を検知してプレゼンス情報を削除しても良い。
【００４２】
また、本実施形態では、携帯端末１０がプレゼンス情報の参照を拒否する携帯端末の識別情報の入力を受け付け、サーバ装置３０が当該情報と携帯端末２０の識別情報が一致する場合に、携帯端末２０へプレゼンス情報を送信しない処理を行う例を説明したが、これに限られず、例えば、携帯端末１０がプレゼンス情報の参照を許可する携帯端末の識別情報の入力を受け付け、サーバ装置３０が当該情報と携帯端末２０の識別情報が一致しない場合に、携帯端末２０へプレゼンス情報を送信しない処理を行っても良い。
【００４３】
上述の携帯端末１０、２０及びサーバ装置３０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４５】
１…プレゼンス管理システム  １０…携帯端末  １１…入力部  １２…予定情報登録部  １３…予定情報記憶部  １４…時刻取得部  １５…位置情報取得部  １６…送信部  ２０…携帯端末  ２１…他端末情報記憶部  ２２…表示部  ２３…選択部  ２４…送信部  ２５…受信部  ３０…サーバ装置  ３１…受信部  ３２…端末識別部  ３３…プレゼンス登録部  ３４…プレゼンス記憶部  ３５…送信判定部  ３６…抽象度変更部  ３７…送信部
【図１】
2010212790.tif 000003
【図２】
2010212790.tif 000004
【図３】
2010212790.tif 000005
【図４】
2010212790.tif 000006
【図５】
2010212790.tif 000007